(57)【特許請求の範囲】
【請求項１】
所定の抗原に結合することができるヒト重鎖をコードする核酸分子を得るための方法であって、
（ａ）複数のヒトＶＨ遺伝子セグメント、複数のヒトＤ遺伝子セグメント、および複数のヒトＪＨ遺伝子セグメントを含む、再配列されていないヒト重鎖免疫グロブリン可変領域を含むトランスジェニックマウスを、所定の抗原で免疫する工程；
（ｂ）該所定の抗原に結合する、ヒト可変領域およびマウス定常領域からなるキメラ抗体を該マウスから取り出したＢリンパ球から得る工程；および
（ｃ）該キメラ抗体のヒト重鎖可変領域をコードする核酸分子を単離し、該核酸分子を、ヒト重鎖定常領域をコードする核酸分子に操作可能に連結させる工程
を包含する、方法。
【請求項２】
前記マウスが、再配列されていないヒト軽鎖免疫グロブリン可変領域をさらに含む、請求項１に記載の方法。
【請求項３】
前記軽鎖可変領域が、複数のＶＬ遺伝子セグメントおよび複数のＪＬ遺伝子セグメントを含む、請求項２に記載の方法。
【請求項４】
前記重鎖免疫グロブリン可変領域が、２〜約１０のＶＨ遺伝子セグメント、少なくとも１０のＤＨ遺伝子セグメント、および少なくとも６のＪＨ遺伝子セグメントを含む、請求項１〜３のいずれか一項に記載の方法。
【請求項５】
前記マウス免疫グロブリン重鎖定常領域が、γ定常領域を含む、請求項１〜３のいずれか一項に記載の方法。
【請求項６】
前記ヒト重鎖免疫グロブリン可変領域が、少なくとも１つのプロモーターを含むシス作用性転写調節領域をさらに含む、請求項１〜３のいずれか一項に記載の方法。
【請求項７】
所定の抗原に結合することができるヒト軽鎖をコードする核酸分子を得るための方法であって、
（ａ）トランスジェニックマウスを、所定の抗原で免疫する工程であって、該トランスジェニックマウスが以下の（ｉ）および（ｉｉ）を含む、工程、
（ｉ）複数のヒトＶＨ遺伝子セグメント、複数のヒトＤＨ遺伝子セグメント、および複数のヒトＪＨ遺伝子セグメントを含む、再配列されていないヒト重鎖免疫グロブリン可変領域；および
（ｉｉ）複数のＶL遺伝子セグメントおよび複数のＪL遺伝子セグメントを含む、再配列されていないヒト軽鎖免疫グロブリン可変領域；
（ｂ）該所定の抗原に結合する、ヒト可変領域およびマウス定常領域からなるキメラ抗体を該マウスから取り出したＢリンパ球から得る工程；および
（ｃ）該キメラ抗体のヒト軽鎖可変領域をコードする核酸分子を単離し、該核酸分子を、ヒト軽鎖定常領域をコードする核酸分子に操作可能に連結させる工程
を包含する、方法。
【請求項８】
前記ヒト軽鎖が、ヒトκ軽鎖定常領域に操作可能に連結されている、請求項７に記載の方法。
【請求項９】
前記ヒト軽鎖が、ヒトλ軽鎖定常領域に操作可能に連結されている、請求項７に記載の方法。
【請求項１０】
所定の抗原に結合することができるヒト重鎖をコードする第一の核酸分子、および、所定の抗原に結合することができるヒト軽鎖をコードする第二の核酸分子を得るための方法であって、
（ａ）トランスジェニックマウスを、所定の抗原で免疫する工程であって、該トランスジェニックマウスが以下の（ｉ）および（ｉｉ）を含む、工程、
（ｉ）複数のヒトＶＨ遺伝子セグメント、複数のヒトＤＨ遺伝子セグメント、および複数のヒトＪＨ遺伝子セグメントを含む、再配列されていないヒト重鎖免疫グロブリン可変領域；および
（ｉｉ）複数のＶL遺伝子セグメントおよび複数のＪL遺伝子セグメントを含む、再配列されていないヒト軽鎖免疫グロブリン可変領域；
（ｂ）該所定の抗原に結合する、ヒト可変領域およびマウス定常領域からなるキメラ抗体を該マウスから取り出したＢリンパ球から得る工程；
（ｃ）該キメラ抗体のヒト重鎖可変領域をコードする第一の核酸分子を単離し、該核酸分子を、ヒト重鎖定常領域をコードする核酸分子に操作可能に連結させる工程；および
（ｄ）該キメラ抗体のヒト軽鎖可変領域をコードする第二の核酸分子を単離し、該核酸分子を、ヒト軽鎖定常領域をコードする核酸分子に操作可能に連結させる工程
を包含する、方法。
【請求項１１】
前記ヒト軽鎖が、ヒトκ軽鎖定常領域に操作可能に連結されている、請求項１０に記載の方法。
【請求項１２】
前記ヒト軽鎖が、ヒトλ軽鎖定常領域に操作可能に連結されている、請求項１０に記載の方法。
【請求項１３】
前記重鎖免疫グロブリン可変領域が、２〜約１０のＶＨ遺伝子セグメント、少なくとも１０のＤＨ遺伝子セグメント、および少なくとも６のＪＨ遺伝子セグメントを含む、請求項１０〜１２のいずれか一項に記載の方法。
【請求項１４】
前記マウス免疫グロブリン重鎖定常領域が、γ定常領域を含む、請求項１０〜１２のいずれか一項に記載の方法。
【請求項１５】
前記ヒト重鎖免疫グロブリン可変領域が、少なくとも１つのプロモーターを含むシス作用性転写調節領域をさらに含む、請求項１０〜１２のいずれか一項に記載の方法。
【発明の詳細な説明】
【技術分野】
【０００１】
【数１Ａ】
0005550026.tif 000002
【背景技術】
【０００２】
【数１Ｂ】
0005550026.tif 000003
【０００３】
【数２】
0005550026.tif 000004
【０００４】
【数３】
0005550026.tif 000005
【０００５】
【数４】
0005550026.tif 000006
【発明の概要】
【発明が解決しようとする課題】
【０００６】
本発明によって以下が提供される。
【０００７】
【数５】
0005550026.tif 000007
【０００８】
【数６】
0005550026.tif 000008
【０００９】
【数７】
0005550026.tif 000009
【００１０】
【数８】
0005550026.tif 000010
【００１１】
【数９】
0005550026.tif 000011
【００１２】
【数１０】
0005550026.tif 000012
【００１３】
【数１１Ａ】
0005550026.tif 000013
【００１４】
【数１１Ｂ】
0005550026.tif 000014
【００１５】
【数１２】
0005550026.tif 000015
【００１６】
【数１３】
0005550026.tif 000016
【００１７】
【数１４】
0005550026.tif 000017
【００１８】
【数１５】
0005550026.tif 000018
【００１９】
【数１６】
0005550026.tif 000019
【００２０】
【数１７】
0005550026.tif 000020
【００２１】
【数１８】
0005550026.tif 000021
【００２２】
【数１９】
0005550026.tif 000022
【００２３】
【数２０】
0005550026.tif 000023
【００２４】
【数２１】
0005550026.tif 000024
【００２５】
【数２２】
0005550026.tif 000025
【００２６】
【数２３】
0005550026.tif 000026
【００２７】
【数２４】
0005550026.tif 000027
【００２８】
【数２５】
0005550026.tif 000028
【００２９】
【数２６】
0005550026.tif 000029
【００３０】
【数２７】
0005550026.tif 000030
【００３１】
【数２８】
0005550026.tif 000031
【００３２】
【数２９】
0005550026.tif 000032
【００３３】
【数３０】
0005550026.tif 000033
【００３４】
【数３１】
0005550026.tif 000034
【００３５】
【数３２】
0005550026.tif 000035
【００３６】
【数３３】
0005550026.tif 000036
【００３７】
【数３４】
0005550026.tif 000037
【００３８】
【数３５】
0005550026.tif 000038
【００３９】
【数３６】
0005550026.tif 000039
【００４０】
【数３７】
0005550026.tif 000040
【００４１】
【数３８】
0005550026.tif 000041
【００４２】
【数３９】
0005550026.tif 000042
【００４３】
【数４０】
0005550026.tif 000043
【００４４】
【数４１】
0005550026.tif 000044
【００４５】
【数４２】
0005550026.tif 000045
【００４６】
【数４３】
0005550026.tif 000046
【００４７】
【数４４】
0005550026.tif 000047
【００４８】
【数４５】
0005550026.tif 000048
【００４９】
【数４６】
0005550026.tif 000049
【００５０】
【数４７】
0005550026.tif 000050
【００５１】
【数４８】
0005550026.tif 000051
【００５２】
【数４９】
0005550026.tif 000052
【００５３】
【数５０】
0005550026.tif 000053
【００５４】
【数５１】
0005550026.tif 000054
【００５５】
【数５２】
0005550026.tif 000055
【００５６】
【数５３】
0005550026.tif 000056
【００５７】
【数５４】
0005550026.tif 000057
【００５８】
【数５５】
0005550026.tif 000058
【００５９】
【数５６】
0005550026.tif 000059
【００６０】
【数５７】
0005550026.tif 000060
【００６１】
【数５８】
0005550026.tif 000061
【００６２】
【数５９】
0005550026.tif 000062
【００６３】
【数６０】
0005550026.tif 000063
【００６４】
【数６１】
0005550026.tif 000064
【００６５】
【数６２】
0005550026.tif 000065
【００６６】
【数６３】
0005550026.tif 000066
【００６７】
【数６４】
0005550026.tif 000067
【００６８】
【数６５】
0005550026.tif 000068
【００６９】
【数６６】
0005550026.tif 000069
【００７０】
【数６７】
0005550026.tif 000070
【００７１】
【数６８】
0005550026.tif 000071
【００７２】
【数６９】
0005550026.tif 000072
【００７３】
【数７０】
0005550026.tif 000073
【００７４】
【数７１】
0005550026.tif 000074
【００７５】
【数７２】
0005550026.tif 000075
【００７６】
【数７３】
0005550026.tif 000076
【００７７】
【数７４Ａ】
0005550026.tif 000077
【図面の簡単な説明】
【００７８】
【図１】図１は、再配列されていないゲノムＤＮＡ中および再配列された免疫グロブリン重鎖遺伝子から発現されるｍＲＮＡ中の相補性決定領域ＣＤＲ１、ＣＤＲ２およびＣＤＲ３、並びにフレームワーク領域ＦＲ１、ＦＲ２、ＦＲ３およびＦＲ４を表す。
【図２】図２はヒトλ鎖遺伝子座を表す。
【図３】図３はヒトκ鎖遺伝子座を表す。
【図４】図４はヒト重鎖遺伝子座を表す。
【図５】図５は、ヒトγ３およびγ１定常領域を含有する２５ｋｂ断片に次いでラット鎖３’エンハンサー配列を含む７００ｂｐ断片に連結された再配列されたＩｇＭ遺伝子を含有するトランスジェン構成物を表す。
【図６】図６は、生体内相同組換えによって軽鎖トランスジェンを形成させるために使うことができる断片を表す、ヒトκ鎖遺伝子座の制限地図である。
【図７】図７はｐＧＰ１の作製を示す。
【図８】図８はｐＧＰ１中に含まれるポリリンカーの構成を示す。
【図９】図９は、本発明のヒト重鎖トランスジェンを作製するのに使う断片を示す。
【図１０】図１０はｐＨＩＧｌおよびｐＣＯＮ１の作製を示す。
【図１１】図１１は、ｐＲＥＧ２を形成させるためにｐＲＥ３（ラットエンハンサー３’）中に挿入されるヒトＣγ１断片を示す。
【図１２】図１２は、ｐＨＩＧ３’およびｐＣＯＮの作製を示す。
【図１３】図１３は、本発明のトランスジュンの作製に使われるヒトＤ領域セグメントを含む断片を示す。
【図１４】図１４は、ｐＨＩＧ２（Ｄセグメント含有プラスミド）の作製を示す。
【図１５】図１５は、本発明のトランスジェンの作製に使われるヒトＪκおよびヒトＣκ遺伝子セグメントを包含する断片を示す。
【図１６】図１６はｐＥμの構造を示す。
【図１７】図１７はｐＫａｐＨの作製を示す。
【図１８】図１８は、マウスの内因性免疫グロブリン重鎖遺伝子座を機能的に破壊するためのポジティブ−ネガティブ選別ベクターの作製を示す。
【図１９】図１９は、マウスの内因性免疫グロブリン重鎖遺伝子座を機能的に破壊するためのポジティブ−ネガティブ選択ベクターの作製を示す。
【図２０】図２０は、マウスの内因性免疫グロブリン重鎖遺伝子座を機能的に破壊するためのポジティブ−ネガティブ選択ベクターの作製を示す。
【図２１】図２１は、マウスの内因性免疫グロブリン重鎖遺伝子座を機能的に破壊するためのポジティブ−ネガティブ選択ベクターの作製を示す。
【図２２】図２２は、マウスの内因性免疫グロブリン重鎖遺伝子座を機能的に破壊するためのポジティブ−ネガティブ選択ベクターの作製を示す。
【図２３】図２３は、マウスの内因性免疫グロブリン軽鎖遺伝子座を機能的に破壊するためのポジティブ−ネガティブ選別ベクターの作製を示す。
【図２４】図２４は、マウスの内因性免疫グロブリン重鎖遺伝子座を機能的に破壊するためのポジティブーネガティブ選択ベクターの作製を示す。
【図２５】図２５はκ鎖標的用ベクターの構造を示す。
【図２６】図２６はマウス重鎖標的用ベクターの構造を示す。
【図２７】図２７はマウス重鎖標的用ベクターの構造を示す。
【図２８】図２８はベクターｐＧＰｅの地図を示す。
【図２９】図２９はベクターｐＪＭ２の構造を示す。
【図３０】図３０はベクターｐＣＯＲｌの構造を示す。
【図３１】図３１はｐＩＧＭｌ，ｐＨＣ１およびｐＨＣ２のトランスジェン構成物を示す。
【図３２】図３２はｐγｅ２の構造を示す。
【図３３】図３３はｐＶＧＥｌの構造を示す。
【図３４】図３４はｐＨＣｌトランスジェニックマウス中でのヒトＩｇ発現のアッセイ結果を示す。
【図３５】図３５はｐＪＣＫｌの構造を示す。
【図３６】図３６は合成重鎖可変領域の作製を示す。
【図３７】図３７は、重鎖小遺伝子座構成物ｐＩＣＭ１，ｐＨＣ１およびｐＨＣ２の略図である。
【図３８】図３８は、重鎖小遺伝子座構成物ｐＩＧＧ１並びにκ軽鎖小遺伝子座構成物ｐＫＣ１，ｐＫＶｅ１およびｐＫＣ２の略図である。
【図３９】図３９は、機能的に再配列された軽鎖遺伝子を再構成するための方策を表す。
【図４０】図４０は血清ＥＬＩＳＡ結果を表す。
【図４１】図４１は、８匹のトランスジェニックマウスからの血清のＥＬＩＳＡアッセイの結果を表す。
【図４２】図４２はプラスミドｐＢＣＥｌの略図である。
【図４３】図４３は、ＫＬＨ−ＤＮＰ（３７Ａ），ＫＬＨ（３７Ｂ）およびＢＳＡ−ＤＮＰ（３７Ｃ）に特異的なＩｇＧおよびＩｇＭレベルを測定することによる、ＫＬＨ−ＤＮＰに対する本発明のトランスジェニックマウスの免疫応答を表す。
【図４４】図４４は、ヒト癌胎児性抗原（ＣＥＡ）に結合しそしてヒトμ鎖を含んで成る抗体の存在を証明するＥＬＩＳＡデータを示す；各パネルは、免役処萱後の指示日においてマウスから得られたプールした血清試料からの逆数系列希釈を示す。
【図４５】図４５は、ヒト癌胎児性抗原（ＣＥＡ）に結合しそしてヒトγ鎖を含んで成る抗体の存在を証明するＥＬＩＳＡデータを示す；各パネルは、免疫処置後の指示日においてマウスから得られたプールした血清試料からの逆数系列希釈を示す。
【図４６】図４６は、ヒト癌胎児性抗原（ＣＥＡ）によって免疫処置されたＨＣ１トランスジェニックマウスのリンパ系組織から得られたｍＲＮＡより生成された２３個の無作為選択ｃＤＮＡの整列された可変領域配列を、生殖細胞トランスジェン配列（最上行）に比較して示す。各行において、生殖細胞配列に対するヌクレオチド変化は推定アミノ酸配列中の変化の上に麦示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図４７】図４７は、ヒト癌胎児性抗原（ＣＥＡ）によって免疫処置されたＨＣ１トランスジェニックマウスのリンパ系組織から得られたｍＲＮＡより生成された２３個の無作為選択ｃＤＮＡの整列された可変領域配列を、生殖細胞トランスジェン配列（最上行）に比較して示す。各行において、生殖細胞配列に対するヌクレオチド変化は推定アミノ酸配列中の変化の上に表示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図４８】図４８は、ヒト癌胎児性抗原（ＣＥＡ）によって免疫処置されたＨＣ１トランスジェニックマウスのリンパ系組識から得られたｍＲＮＡより生成された２３個の無作為選択ｃＤＮＡの整列された可変領域配列を、生殖細胞トランスジェン配列（最上行）に比較して示す。各行において、生殖細胞配列に対するヌクレオチド変化は推定アミノ酸配列中の変化の上に表示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図４９】図４９は、ヒト癌胎児性抗原（ＣＥＡ）によって免疫処置されたＨＣｌトランスジェニックマウスのリンパ系組織から得られたｍＲＮＡより生成された２３個の無作為選択ｃＤＮＡの整列された可変領域配列を、生殖細胞トランスジェン配列（最上行）に比較して示す。各行において、生殖細胞配列に対するヌクレオチド変化は推定アミノ酸配列中の変化の上に表示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図５０】図５０は、ヒト癌胎児性抗原（ＣＥＡ）によって免疫処置されたＨＣ１トランスジェニックマウスのリンパ系組織から得られたｍＲＮＡより生成された２３個の無作為選択ｃＤＮＡの整列された可変領域配列を、生殖細胞トランスジェン配列（最上行）に比較して示す。各行にわいて、生殖細胞配列に対するヌクレオチド変化は推定アミノ酸配列中の変化の上に表示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図５１】図５１は、ヒト癌胎児性抗原（ＣＥＡ）によって免疫処置されたＨＣ１トランスジェニックマウスのリンパ系組織から得られたｍＲＮＡより生成された２３個の無作為選択ｃＤＮＡの整列された可変領域配列を、生殖細胞トランスジェン配列（最上行）に比較して示す。各行において、生殖細胞配列に対するヌクレオチド変化は推定アミノ酸配列中の変化の上に表示される（もしあれば）。重鎖ＣＤＲ１，ＣＤＲ２およびＣＤＲ３に相当する領域が示されている。生殖細胞によってコードされないヌクレオチドは大文字で示されている。推定アミノ酸配列は、慣例的な一文字表記法を使ってヌクレオチド配列の下に与えられている。
【図５２】図５２は、ヒストグラム形式での図４０のデータを示す；推定アミノ酸残基位置が縦座標として示され（左がアミノ末端方向であり、右がカルボキシ末端方向である）そして配列変異の頻度が横座標として示される。
【図５３】図５３は、Ｖκ遺伝子セグメントを含有するｖｋ６５．５と命名されたヒトＤＮＡ断片のヌクレオチド配列を示す；Ｖκコード領域推定アミノ酸配列も示される；スプライシング配列と組換えシグナル配列（ヘプタマー／ノナマー）は枠内に示される。
【図５４】図５４は、Ｖκ遺伝子セグメントを含有するｖｋ６５．８と命名されたヒトＤＮＡ断片のヌクレオチド配列を示す；Ｖκコード領域推定アミノ酸配列も示される；スプライシング配列と組換えシグナル配列（ヘプタマー／ノナマー）は枠内に示される。
【図５５】図５５は、Ｖκ遺伝子セグメントを含有するｖｋ６５．１５と命名されたヒトＤＮＡ断片のヌクレオチド配列を示す；Ｖκコード領域推定アミノ酸配列も示される；スプライシング配列と組換えシグナル配列（ヘプタマー／ノナマー）は枠内に示される。
【図５６】図５６は、同時に注入された２つの弔複断片の問での相１司組換えによる軽鎖小遺伝子座の形成を示す。
【図５７】抗原結合の特異１生を示すＣＥＡ及び非ＣＥＡ抗原と反応性あるモノクローナル抗体についてのＥＬＩＳＡの結果を示す。
【図５８】ヒトＶＤＪ及びマウス恒常領域配列を有する写しを増幅するべくＰＣＲにより増幅された１０個のＣＤＮＡのＤＮＡ配列を示す。
【図５９】ヒト重鎖ミニ遺伝子座トランスジーン及びヒトκミニ遺伝子座トランスジーンの両方を支持するマウスから得た血清のさまざまな希釈度に対するＥＬＩＳＡの結果を示している；マウスはヒトＣＤ４で免疫化されたものであり、示されているデータは、ヒトＣＤ４と反応性をもちそれぞれヒトκ、ヒトμ、又はヒトγエピトープを有する抗体を表わしている。
【図６０】３つのマウス遺伝子型についてＦＡＣＳにより決定される、ヒトμ又はマウスμについてのリンパ球染色の相対的分布を示す。
【図６１】３つのマワス遺伝子型についてＦＡＣＳにより決定される、ヒトκ又はマウスκについてのリンパ球染色の杣対的分布を示す。
【図６２】３つのマウス遺伝子型についてＦＡＣＳにより決定される、マウスλについてのリンパ球染色の相対的分布を示している。
【図６３】４つのマウス遺Ｅ子型についてＦＡＣＳにより決定される、マウスλ又はヒトκについてのリンパ球染色の相対的分布を示す。
【図６４】免疫化されていない血清中のヒトμ、ヒトγ、ヒトκ、マウスμ、マウスγ、マウスκ、及びマウスλ鎖の量を示す。
【図６５】さまざまな遺伝子型の免疫化されていない００１１マウスの血清中のヒトμ、ヒトγ、ヒトκ、マウスμ、マウスγ、マウスκ、及びマウスλ鎖の量を示す散乱プロットを示している。
【図６６】００１１マウスにおける抗ヒトＣＤ４タイターを示す。
【図６７】ヒトＣＤ４での００１１マウスの免疫化に続く免疫化後３週間目又は７週間目に採取した血清中の抗一ＣＤ４抗体内のヒトμ、ヒトγ、又はヒトκ鎖を含む抗体力価を示す。
【図６８】ヒト重鎖ミニ遺伝子座トランスジーンＰＨＣ１及びＰＨＣ２、及び軽鎖ミニ遺伝子座トランスジーンｐＫＣｌ，ｐＫＣｌｅ及び指示された部位でＰＫＣ２とＣｏ４の問の相同組換えにより作り出された軽鎖ミニ遺伝子座トランスジーンの概略図である。
【図６９】Ｓｔｏｒｂｅｔａ１．（１９８９）前掲書中、からとられた、ネズミラムダ軽鎖遺伝子座の連鎖地図を示す。点刻囲みは偽遺伝子を表わす。
【図７０】相同遺伝子ターゲティングによるマウスλ遺伝子座の失活を概略的に表わしている。
【図７１】「免疫グロブリン遺伝子」、Ｈｏｎｊｏ，Ｔ，ＡＩｔ，ＦＷ，及びＲａｂｂｉｔｓＴＨ（ｅｄｓ）ＡｃａｄｅｍｉｃＰｒｅｓｓ，ＮＹ（１９８９）ｐ１２９から取られたＢＡＬＢ／ｃマウス重鎖遺伝子座の地図を示す。構造遺伝子は上部ラインに閉じた囲みで示されている。第２及び第３のラインは表示された記号を伴って制限部位を示している。
【図７２】マウス重鎖遺伝子座α恒常領域遺伝子のヌクレオチド配列を示す。
【図７３】マウス重鎖遺伝子座Ｊ４遺伝子内に２つのｂｐフレームシフトを導入するためのフレームシフトベクター（プラスミドＢ）の構成を示す。
【図７４】高度免疫中のトランスジェニック動物のアイソタイプ特異応答を示す。反応性のヒトμ及びγ１の相対的レベルは、比色ＥＬＩＳＡ検定法（ｙ一軸）によって示されている。我々は、フロイントアジュバント中のＣＥＡの腹腔内注入により、同型接合のＪＨＤバックグラウンド内で３匹の生後７〜１０週目の雄のＨＣ１系統５７のトランスジェニック動物（＃１９９１，＃２３５６，＃２３５７）を免疫化した。図は、ＣＥＡでコーティングされたマイクロタイターウエルに対するプールした血清（各注入に先立って収集したもの）の２５０倍希釈液の結合を描いている。
【図７５】クラススイッテ組換えにより媒介されたトランスジーンでコードされたγ１アイソタイプの発現を示す。２つの異なるヒトγ１発現ハイブリドーマ内の組込まれたトランスジーンのゲノミック構造は、μ及びγ１スイッチ領域の問の組換えと一貫性をもつ。図７５は、３つのトランスジーン発現ハイブリドーマから分離したＰａｃＩ／ＳｆｉＩ消化されたＤＮＡのサザンプロットを示す。左から右へ：クローン９２−０９Ａ一５Ｈｌ−５、ヒトγ１／μ；クローン９２−９０Ａ−４Ｇ２−２、ヒトγ１／μ；クローン９２−０９Ａ−４Ｆ７−Ａ５−２、ヒトγ１，μ。３つのハイブリドーマは全て、ＨＣ１−５７の組込みについて半接合でＪＨＤ分断について同型接合の生後７カ月のマウス（マウス＃１９９１）から誘導される。プロットは、ヒトγ１スイッチ領域の３’半部分にまたがる２．３ｋｂのＢｇｌＩＩ／ＳｆｉＩＤＮＡフラグメントから誘導されたプローブでハイブリッド形成される。μ発現ハイブリドーマの中にはいかなるスイッチ産物も見い出せないが、２つのγ１発現ハイブリドーマ９２−０９Ａ−５Ｈ１−５及び９２−０９Ａ−４Ｇ２−２は、それぞれ、５．１ｋｂ及び５．３ｋｂのＰａｃＩ／ＳｒｉＩフラグメントを結果としてもたらすスイッチ産物を含む。
【図７６】図７６は、μからγ１へのクラススイッチを産生させることのできる考えられる２つの欠失メカニズムの図である。ヒトμ遺伝子には、μを欠失するべく組換えできる４００ｂｐの直接的反復（σμ及びΣμ）がフランキングしている。このメカニズムによるクラススイッチングはつねに６．４ｋｂのＰａｃＩ／ＳｆｉＩフラグメントを生成するが、一方μ及びγ１スイッチ領域の問の組換えによるクラススイッチは、個々のスイッチ事象の間でサイズの変動を示しながら、４ｋｂと７ｋｂの問のＰａｃＩ／ＳｆｉＩフラグメントを生成する。図７５で検討されている２つのγ１発現ハイブリドーマは、μ及びγ１スイッチ領域の間で組換えを受けていると思われる。
【図７７】トランススイッチにより生成されたキメラヒト／マウス免疫グロブリン重鎖を示す。トランススイッチ産物のｃＤＮＡクローンは、高度免疫されたＨＣｌトランスジェニック−ＪＨＤマウス（＃２３５７；動物及び免疫計画の説明については図７４に対する凡例を参照のこと）から分離した脾臓とリンパ節のＲＮＡの混合物の逆転写及びＰＣＲ増幅により生成された。１０個の無作為にとり出したクローンの部分的ヌクレオチド配列が示されている。小文字は、コードされた生殖細胞系を表わし、大文字は、既知の生殖細胞系配列に割当てることのできないヌクレオチドを示す。これらは体細胞突然変異、Ｎヌクレオチド又は切形Ｄセグメントであることが考えられる。両面タイプはマウスγ配列を表わす。
【図７８】再配置されたＶＨ２５１トランスジーンが高度免疫されたものの中での体細胞突然変異を受けることを示している。
【図７９】図７８では抗原に対する一次反応を図７９では二次反応を示すＣＨ１系統２６のマウスからのＩｇＧ重鎖可変領域ｃＤＮＡクローンの部分的ヌクレオチド配列。生殖細胞系配列が上部に示され；生殖細胞系からのヌクレオチド変更は、各クローンについて表わされている。１つの周期は、生殖細胞系配列との同一性を示し、大文字はいかなる生殖細胞系源も１司定されないことを示している。配列は、Ｊセグメントの用途に応ってまとめられている。Ｊセグメントの各々の生殖細胞系配列が示されている。ＣＤＲ３配列内の小文字はＨＣ１トランスジーン内に含まれている既知のＤセグメントに対する同一性を表わす。割当てられたＤセグメントは、各配列の最後に表Ｄされている。割当てされていない配列は、Ｎ領域の付加又は体細胞突然変異から誘導されうる。又は、場合によって、これらは単にあまりにも短かすぎて既知のＤセグメントから無作為のＮ個のヌクレオチドを区別できないこともある。図７８の一次応答：１３の無作為にとり上げたＶＨ２５１一γｌｃＤＮＡクローン。生後４週間の雌のＨＣｌ系統２６−ＪＨＤマウス（＃２５９９）にＫＬＨ及び完全フロイントアジュバントを一回だけ注入した。５日後に脾臓細胞ＲＮＡを分離した。Ｖセグメント内の体細胞突然変異の全体的頻度は０．０６％（２／３，１９８ｂｐ）である。図７９の二次応答：１３の無作為にとり上げたＶＨ２５１−γｌｃＤＮＡクローン。生後２カ月の雌ＨＣｌ系統２６−ＪＨＤマウス（＃３２０４）に対しで１カ月にわたり３回ＨＥＬ及びフロイントアジュバントを注入した（一次注入は完全アジュバントで、又追加免疫は１週間目と３週間目に不完全アジュバントで）；４カ月後に脾臓とリンパ節のＲＮＡを分離した。Ｖセグメント内での体液性突然変異の全体的頻度は１．６％（５２／３，１９８ｂｐ）。
【図８０】広範な体細胞突然変異がγ１配列に制限されていることを示している：体細胞突然変異及びクラススイッチはＢ細胞の同じ集団内で発生する。ＣＥＡに対し高度免疫された（免疫化計画については図６８参照）ＨＣ１系統５７のトランスジェニック−ＪＨＤマウス（＃２３５７）の脾臓及びリンパ節細胞から分離したＶＨ２５１ｃＤＮＡクローンの部分的ヌクレオチド配列。図８０：ＩｇＭ：２３の無作為にとり上げたＶＨ２５１−μｃＤＮＡクローン。ＣＤＲｓ１及び２の周囲残基を含む１５６ｂｐのセグメントのヌクレオチド配列。体細胞突然変異の全体的レベルは０．１％（５／３，７４４ｂｐ）である。
【図８１】図８１：ＩｇＧ：２３の無作為にとり上げたＶＨ２５１一γ１ｃＤＮＡクローン。ＣＤＲｓ１〜３及び周囲残基を含むセグメントのヌクレオチド配列。Ｖセグメント内の体細胞突然変異の全体的頻度は１．１％（６５／５，６５８ｂｐ）である。図８０中のμ配列との比較のため；最初の１５６個のヌクレオチドに対する突然変異頻度は１．１％（４１／３，５８８ｂｐである）。記号の説明については、図８０及び８１の凡例を参照のこと。
【図８２】ＶＨ５１Ｐ１及びＶＨ５６Ｐ１が、免疫化を受けていないマウス内の広範な体細胞突然変異を示す。生後９週目の免疫化を受けていない雌のＨＣ２系統２５５０のトランスジェニックーＪＨＤマウス（＃５２５０）からのＩｇＧ重鎖可変領域ｃＤＮＡクローンの部分的ヌクレオチド配列。１９ＶＨ５６ｐｌセグメントでの体細胞突然変異の全体的頻度は、２．２％（１０１／４，６７４ｂｐ）である。単一一のＶＨ５１ｐ１セグメント内の体細胞突然変異の全体的頻度は２．０％（５／２４６ｂｐ）である。記号の説明については図７８及び７９に対する凡例を参照。
【図８３】分析された内因性Ｉｇ遺伝子座をもつ２重トランスジェニックマウスは、ヒトＩｇＭκ陽性Ｂ細胞を含んでいる。異なる遺伝子型をもつ４匹のマウスの脾臓から分離された細胞のＦＡＣＳ。左欄：対照マウス（＃９９４４、生後６週目の雌、ＪＨ＋／−，ＪＣκ＋／−；異型接合野生型マウス重鎖及びκ一軽鎖遺伝子座、非トランスジェニック）。第２欄：ヒト重鎖トランスジェニック（＃９８７７、生後６週目の雌ＪＨ−／−，ＪＣκ−／−，ＨＣ２系統２５５０±；分断されたマウスの重鎖及びκ一軽鎖遺伝子座について同型接合で、ＨＣ２トランスジーンについて半接合）。第３欄：ヒトκ一軽鎖トランスジェニック（＃９８７８、生後６週目の雌ＪＨ−／−，ＪＣκ−／−，ＫＣｏ４系統４４３７＋；分断されたマウスの重鎖及びκ一軽鎖遺伝子座について同型接合で、ＫＣｏ４トランスジーンについて半接合）。右欄：２重トランスジェニック（＃９８７９、生後６週目の雌、ＪＨ−／−ｍＪＣκ−／−，ＨＣ２系統２５５０＋，ＫＣｏ４系統４４３７＋；分断されたマウスの重鎖及びκｋ一軽鎖遺伝子座について同型接合で、ＨＣ２及びＫＣｏ４トランスジーンについて半接合）。上段：マウスλ軽鎖（ｘ軸）及びヒトκ軽鎖（ｙ軸）の発現について染色された脾細胞。第２段：ヒトμ重鎖（ｘ軸）及びヒトκ軽鎖（ｙ軸）の発現について染色された脾細胞、第３段：マウスのμ重鎖（ｘ軸）及びマウスのκ軽鎖（ｙ軸）の発現について染色された脾細胞。下段：マウスＢ２２０抗原の発現について染色された脾細胞のヒストグラム（対数螢光：ｘ軸：細胞数：ｙ軸）。２つの色図版の各々について、表示された象眼の各々の中の細胞の相対数は、ヨウ化プロピジウム染色及び光散乱に基つくｅ一パラメータゲートの百分率として与えられている。下段に表示されている試料の各々におけるＢ２２０＋細胞の分１由１は、リンパ球光散乱ゲートの白分率として与えられている。
【図８４】２重トランスジェニックマウスの血清中の分泌された免疫グロブリンレベル。内因性重鎖及びκ一軽鎖遺伝子座分断について同型接合の１８の個々のＨＣ２／ＫＣｏ４２重トランスジェニックマウスからのマウスＴ及びλ及びヒトμ，γ及びκ。マウス：（＋）ＨＣ２系統２５５０（組込み１回につき最高５つのＨＣ２コピー）、ＫＣｏ４系統４４３６（組込み１回につき１〜２つのＫＣｏ４コピー）；（○）ＨＣ２系統２５５０，ＫＣｏ４系統４４３７（組込み一回につき最高１０個のＫＣｏ４コピー）；（×）ＨＣ２系統２５５０，ＫＣｏ４系統４５８３（組込み一一回につき最高５つのＫＣｏ４コピー）；（□）ＨＣ２系統２５７２（組込み１回につき３０〜５０のＨＣ２コピー、ＫＣｏ４系統４４３７；（△）ＨＣ２系統５４６７（組込み１回につき２０〜３０個のＨＣ２コピー、ＫＣｏ４系統４４３７。
【図８５】ヒト抗原に対するヒト抗体応答を示す。図８５：組換え型ヒト可溶性ＣＤ４に対する一次応答。ヒトＩｇＭ及びヒトκ軽鎖のレベルが、４つの２重トランスジェニックマウスからの出血前（○）及び免疫化後（●）の血清について報告されている。
【図８６】図８６：インビボでヒトＩｇＧに対するスイッチが起こる。非特異的交叉反応性を阻害するべく１．５μ／ｍ１の余分なＩｇＥ，κ及び１％の正常なマウス血清の存在下で使川されたペルオキソダーゼ接合されたポリクローナル抗ヒトＩｇＧを用いて、ヒトＩｇＧ（円）を検山した。ヒトκ軽鎖（正方形）は、１％の正常なマウスの血清の存在下でペルオキシダーゼ接合されたポリクローナル抗ヒトκ試薬を用いて、検出した。１匹のマウス（＃９３４４；ＨＣ２系統２５５０，ＫＣｏ４系統４４３６）からの代表的結果が示されている。各々の点は、重複ウエルの平均からバックグラウンド吸収を引いたものを表わしている。
【図８７】ヒトＣＤ８十リンパ球からヒトＣＤ４＋リンパ球を弁別するハイブリドーマ上清を用いたヒトＰＢＬのＦＡＣＳ分析を示す。
【図８８】トランスジェニックマウスの血清内のヒトα−ＣＤ４１ｇＭａｎｆＩｇＧを示す。
【図８９】トランスジェニックマウスのα−ヒトＣＤ４ハイブリドーマモノクローナル、２Ｃｌｌ−８をＲＰＡ−ＴＡ及びＬｅｕ−３Ａモノクローナルと比較する競合結合実験を示す。
【図９０】培養された２Ｃｌｌ−８ハイブリドーマのＩｇ発現についての産生データを示す。
【図９１】重鎖恒常領域遺伝子といった遺伝子を欠失させるための相同組換えターゲッティングトランスジーンの構造を概略的に示す。本発明のトランスジェニックマウスを、下記の表Ｂ及びＣから選択されたヒト抗原により免疫する。トランスジェニックマウスは前記ヒト抗原に結合するヒト抗体を生産する。免疫されたトランスジェニックマウスからのＢ細胞を用いて、前記選択されたヒト抗原に対するモノクローナル抗体を分泌するハイブリドーマを作製する。
【実施例】
【００７９】
【数７４Ｂ】
0005550026.tif 000078
【００８０】
【数７５】
0005550026.tif 000079
【００８１】
【数７６】
0005550026.tif 000080
【００８２】
【数７７】
0005550026.tif 000081
【００８３】
【数７８】
0005550026.tif 000082
【００８４】
【数７９】
0005550026.tif 000083
【００８５】
【数８０】
0005550026.tif 000084
【００８６】
【数８１】
0005550026.tif 000085
【００８７】
【数８２】
0005550026.tif 000086
【００８８】
【数８３】
0005550026.tif 000087
【００８９】
【数８４】
0005550026.tif 000088
【００９０】
【数８５】
0005550026.tif 000089
【００９１】
【数８６】
0005550026.tif 000090
【００９２】
【数８７】
0005550026.tif 000091
【００９３】
【数８８】
0005550026.tif 000092
【００９４】
【数８９】
0005550026.tif 000093
【００９５】
【数９０】
0005550026.tif 000094
【００９６】
【数９１】
0005550026.tif 000095
【００９７】
【数９２】
0005550026.tif 000096
【００９８】
【数９３】
0005550026.tif 000097
【００９９】
【数９４】
0005550026.tif 000098
【０１００】
【数９５】
0005550026.tif 000099
【０１０１】
【数９６】
0005550026.tif 000100
【０１０２】
【数９７】
0005550026.tif 000101
【０１０３】
【数９８】
0005550026.tif 000102
【０１０４】
【数９９】
0005550026.tif 000103
【０１０５】
【数１００】
0005550026.tif 000104
【０１０６】
【数１０１】
0005550026.tif 000105
【０１０７】
【数１０２】
0005550026.tif 000106
【０１０８】
【数１０３】
0005550026.tif 000107
【０１０９】
【数１０４】
0005550026.tif 000108
【０１１０】
【数１０５】
0005550026.tif 000109
【０１１１】
【数１０６】
0005550026.tif 000110
【０１１２】
【数１０７】
0005550026.tif 000111
【０１１３】
【数１０８】
0005550026.tif 000112
【０１１４】
【数１０９】
0005550026.tif 000113
【０１１５】
【数１１０】
0005550026.tif 000114
【０１１６】
【数１１１】
0005550026.tif 000115
【０１１７】
【数１１２】
0005550026.tif 000116
【０１１８】
【数１１３】
0005550026.tif 000117
【０１１９】
【数１１４】
0005550026.tif 000118
【０１２０】
【数１１５】
0005550026.tif 000119
【０１２１】
【数１１６】
0005550026.tif 000120
【０１２２】
【数１１７】
0005550026.tif 000121
【０１２３】
【数１１８】
0005550026.tif 000122
【０１２４】
【数１１９】
0005550026.tif 000123
【０１２５】
【数１２０】
0005550026.tif 000124
【０１２６】
【数１２１】
0005550026.tif 000125
【０１２７】
【数１２２】
0005550026.tif 000126
【０１２８】
【数１２３】
0005550026.tif 000127
【０１２９】
【数１２４】
0005550026.tif 000128
【０１３０】
【数１２５】
0005550026.tif 000129
【０１３１】
【数１２６】
0005550026.tif 000130
【０１３２】
【数１２７】
0005550026.tif 000131
【０１３３】
【数１２８】
0005550026.tif 000132
【０１３４】
【数１２９】
0005550026.tif 000133
【０１３５】
【数１３０】
0005550026.tif 000134
【０１３６】
【数１３１】
0005550026.tif 000135
【０１３７】
【数１３２】
0005550026.tif 000136
【０１３８】
【数１３３】
0005550026.tif 000137
【０１３９】
【数１３４】
0005550026.tif 000138
【０１４０】
【数１３５】
0005550026.tif 000139
【０１４１】
【数１３６】
0005550026.tif 000140
【０１４２】
【数１３７】
0005550026.tif 000141
【０１４３】
【数１３８】
0005550026.tif 000142
【０１４４】
【数１３９】
0005550026.tif 000143
【０１４５】
【数１４０】
0005550026.tif 000144
【０１４６】
【数１４１】
0005550026.tif 000145
【０１４７】
【数１４２】
0005550026.tif 000146
【０１４８】
【数１４３】
0005550026.tif 000147
【０１４９】
【数１４４】
0005550026.tif 000148
【０１５０】
【数１４５】
0005550026.tif 000149
【０１５１】
【数１４６】
0005550026.tif 000150
【０１５２】
【数１４７】
0005550026.tif 000151
【０１５３】
【数１４８】
0005550026.tif 000152
【０１５４】
【数１４９】
0005550026.tif 000153
【０１５５】
【数１５０】
0005550026.tif 000154
【０１５６】
【数１５１】
0005550026.tif 000155
【０１５７】
【数１５２】
0005550026.tif 000156
【０１５８】
【数１５３】
0005550026.tif 000157
【０１５９】
【数１５４】
0005550026.tif 000158
【０１６０】
【数１５５】
0005550026.tif 000159
【０１６１】
【数１５６】
0005550026.tif 000160
【０１６２】
【数１５７】
0005550026.tif 000161
【０１６３】
【数１５８】
0005550026.tif 000162
【０１６４】
【数１５９】
0005550026.tif 000163
【０１６５】
【数１６０】
0005550026.tif 000164
【０１６６】
【数１６１】
0005550026.tif 000165
【０１６７】
【数１６２】
0005550026.tif 000166
【０１６８】
【数１６３】
0005550026.tif 000167
【０１６９】
【数１６４】
0005550026.tif 000168
【０１７０】
【数１６５】
0005550026.tif 000169
【０１７１】
【数１６６】
0005550026.tif 000170
【０１７２】
【数１６７】
0005550026.tif 000171
【０１７３】
【数１６８】
0005550026.tif 000172
【０１７４】
【数１６９】
0005550026.tif 000173
【０１７５】
【数１７０】
0005550026.tif 000174
【０１７６】
【数１７１】
0005550026.tif 000175
【０１７７】
【数１７２】
0005550026.tif 000176
【０１７８】
【数１７３】
0005550026.tif 000177
【０１７９】
【数１７４】
0005550026.tif 000178
【０１８０】
【数１７５】
0005550026.tif 000179
【０１８１】
【数１７６】
0005550026.tif 000180
【０１８２】
【数１７７】
0005550026.tif 000181
【０１８３】
【数１７８】
0005550026.tif 000182
【０１８４】
【数１７９】
0005550026.tif 000183
【０１８５】
【数１８０】
0005550026.tif 000184
【０１８６】
【数１８１】
0005550026.tif 000185
【０１８７】
【数１８２】
0005550026.tif 000186
【０１８８】
【数１８３】
0005550026.tif 000187
【０１８９】
【数１８４】
0005550026.tif 000188
【０１９０】
【数１８５】
0005550026.tif 000189
【０１９１】
【数１８６】
0005550026.tif 000190
【０１９２】
【数１８７】
0005550026.tif 000191
【０１９３】
【数１８８】
0005550026.tif 000192
【０１９４】
【数１８９】
0005550026.tif 000193
【０１９５】
【数１９０】
0005550026.tif 000194
【０１９６】
【数１９１】
0005550026.tif 000195
【０１９７】
【数１９２】
0005550026.tif 000196
【０１９８】
【数１９３】
0005550026.tif 000197
【０１９９】
【数１９４】
0005550026.tif 000198
【０２００】
【数１９５】
0005550026.tif 000199
【０２０１】
【数１９６】
0005550026.tif 000200
【０２０２】
【数１９７】
0005550026.tif 000201
【０２０３】
【数１９８】
0005550026.tif 000202
【０２０４】
【数１９９】
0005550026.tif 000203
【０２０５】
【数２００】
0005550026.tif 000204
【０２０６】
【数２０１】
0005550026.tif 000205
【０２０７】
【数２０２】
0005550026.tif 000206
【０２０８】
【数２０３】
0005550026.tif 000207
【０２０９】
【数２０４】
0005550026.tif 000208
【０２１０】
【数２０５】
0005550026.tif 000209
【０２１１】
【数２０６】
0005550026.tif 000210
【０２１２】
【数２０７】
0005550026.tif 000211
【０２１３】
【数２０８】
0005550026.tif 000212
【図１】
0005550026.tif 000213
【図２】
0005550026.tif 000214
【図３】
0005550026.tif 000215
【図４】
0005550026.tif 000216
【図５】
0005550026.tif 000217
【図６】
0005550026.tif 000218
【図７】
0005550026.tif 000219
【図８】
0005550026.tif 000220
【図９】
0005550026.tif 000221
【図１０】
0005550026.tif 000222
【図１１】
0005550026.tif 000223
【図１２】
0005550026.tif 000224
【図１３】
0005550026.tif 000225
【図１４】
0005550026.tif 000226
【図１５】
0005550026.tif 000227
【図１６】
0005550026.tif 000228
【図１７】
0005550026.tif 000229
【図１８】
0005550026.tif 000230
【図１９】
0005550026.tif 000231
【図２０】
0005550026.tif 000232
【図２１】
0005550026.tif 000233
【図２２】
0005550026.tif 000234
【図２３】
0005550026.tif 000235
【図２４】
0005550026.tif 000236
【図２５】
0005550026.tif 000237
【図２６】
0005550026.tif 000238
【図２７】
0005550026.tif 000239
【図２８】
0005550026.tif 000240
【図２９】
0005550026.tif 000241
【図３０】
0005550026.tif 000242
【図３１】
0005550026.tif 000243
【図３２】
0005550026.tif 000244
【図３３】
0005550026.tif 000245
【図３４】
0005550026.tif 000246
【図３５】
0005550026.tif 000247
【図３６】
0005550026.tif 000248
【図３７】
0005550026.tif 000249
【図３８】
0005550026.tif 000250
【図３９】
0005550026.tif 000251
【図４０】
0005550026.tif 000252
【図４１】
0005550026.tif 000253
【図４２】
0005550026.tif 000254
【図４３】
0005550026.tif 000255
【図４４】
0005550026.tif 000256
【図４５】
0005550026.tif 000257
【図４６】
0005550026.tif 000258
【図４７】
0005550026.tif 000259
【図４８】
0005550026.tif 000260
【図４９】
0005550026.tif 000261
【図５０】
0005550026.tif 000262
【図５１】
0005550026.tif 000263
【図５２】
0005550026.tif 000264
【図５３】
0005550026.tif 000265
【図５４】
0005550026.tif 000266
【図５５】
0005550026.tif 000267
【図５６】
0005550026.tif 000268
【図５７】
0005550026.tif 000269
【図５８】
0005550026.tif 000270
【図５９】
0005550026.tif 000271
【図６０】
0005550026.tif 000272
【図６１】
0005550026.tif 000273
【図６２】
0005550026.tif 000274
【図６３】
0005550026.tif 000275
【図６４】
0005550026.tif 000276
【図６５】
0005550026.tif 000277
【図６６】
0005550026.tif 000278
【図６７】
0005550026.tif 000279
【図６８】
0005550026.tif 000280
【図６９】
0005550026.tif 000281
【図７０】
0005550026.tif 000282
【図７１】
0005550026.tif 000283
【図７２】
0005550026.tif 000284
【図７３】
0005550026.tif 000285
【図７４】
0005550026.tif 000286
【図７５】
0005550026.tif 000287
【図７６】
0005550026.tif 000288
【図７７】
0005550026.tif 000289
【図７８】
0005550026.tif 000290
【図７９】
0005550026.tif 000291
【図８０】
0005550026.tif 000292
【図８１】
0005550026.tif 000293
【図８２】
0005550026.tif 000294
【図８３】
0005550026.tif 000295
【図８４】
0005550026.tif 000296
【図８５】
0005550026.tif 000297
【図８６】
0005550026.tif 000298
【図８７】
0005550026.tif 000299
【図８８】
0005550026.tif 000300
【図８９】
0005550026.tif 000301
【図９０】
0005550026.tif 000302
【図９１】
0005550026.tif 000303